(57)【要約】【課題】  軽量小型化を図り、コイル表面の損傷を無くし、かつ、組立てを容易にしたエキサイターと、そのエキサイターを使用した平面スピーカを提供する。【解決手段】  ２つのボイスコイル４，５を振動方向に所定の間隔を存し、かつ互いに逆相となるようにして配置するとともに、各ボイスコイル４，５を直列接続してハウジング２内に固定し、前記振動方向に配置されたボイスコイル４，５内のほぼ中間部に、厚さ方向に着磁されたマグネット７を可動自在に配置し、前記各ボイスコイル４，５に流れる音声電流の流れ方向に応じて、ボイスコイル４，５の磁極を変化させ、前記マグネット７をボイスコイル４，５内で可動させるよう構成してエキサイター１とする。【選択図】      図２
2006246288.tif 000002
【特許請求の範囲】
【請求項１】
２つのボイスコイルを、振動方向に所定の間隔を存し、かつ互いに逆相となるようにして配置するとともに、各ボイスコイルを直列接続してハウジング内に固定し、
前記振動方向に配置されたボイスコイル内のほぼ中間部に、厚さ方向に着磁されたマグネットを可動自在に配置し、
前記各ボイスコイルに流れる音声電流の流れ方向に応じて、ボイスコイルの磁極を変化させ、前記マグネットをボイスコイル内で可動させるよう構成されていること
を特徴とするエキサイター。
【請求項２】
前記ハウジングは、
上部が開口するとともに、内部に前記２つのボイスコイルを保持するボイスコイルボビンの外径より若干径の大きな空隙部を有するものであること
を特徴とする請求項１に記載のエキサイター。
【請求項３】
前記ハウジングは、
上部が開口するとともに、内部に前記２つのボイスコイルを保持するボイスコイルボビンの外径より若干径の大きな空隙部を有し、この空隙部内に振動体の保持が可能なカプラーが上下動自在に設けられたものであること
を特徴とする請求項１に記載のエキサイター。
【請求項４】
前記マグネットは、
前記ハウジング内に上下動自在に配置されたカプラーに固着され、前記各ボイスコイルへの非通電時には、ボイスコイル間の中間に位置し、音声電流が流れた場合には、音声電流の流れる方向に応じて上昇又は下降するよう構成されていること
を特徴とする請求項１に記載のエキサイター。
【請求項５】
前記ボイスコイルボビンは、
前記ハウジング内に形成された空隙部の内径よりも少し小さな外径を有する円筒体の外周部に、所要の間隔を存して２つの溝を形成し、この溝内にそれぞれボイスコイルを互いに逆相となるように設けるとともに、各ボイスコイルを直列接続させたこと
を特徴とする請求項１に記載のエキサイター。
【請求項６】
前記ボイスコイルは、
その表面が、接着剤で覆われていること
を特徴とする請求項１〜５のいずれかに記載のエキサイター。
【請求項７】
前記カプラーは、
前記ハウジングの上部に設けられた第１のダンパーおよび、ハウジングに形成された空隙部内に設けられた第２のダンパーによって支持され、空隙部内を可動するよう構成されていること
を特徴とする請求項２又は４に記載のエキサイター。
【請求項８】
前記カプラーは、
振動体を装着させるための円板状の基板と、この基板の裏面中央部に形成される第１のダンパーを装着するための円筒状の第１胴部と、この第１胴部に段部を介して連設されるマグネットを装着するための径の小さな第２胴部と、この第２胴部の先端面に突出形成され、第２のダンパーを装着するためのさらに径の小さな第３胴部とから構成され、合成樹脂で一体成形されたものであること
を特徴とする請求項２、請求項４又は６のいずれかに記載のエキサイター。
【請求項９】
前記ハウジングは、
前記ボイスコイルのリード線を、前記ハウジング外に引き出すためのスリット部が形成されていることを特徴とする請求項１に記載のエキサイター。
【請求項１０】
前記ハウジングは、
上部の開口部に沿って、所定の深さを有する複数の接着剤充填口が形成されていることを特徴とする請求項１に記載のエキサイター。
【請求項１１】
平面状の振動板の裏面部に、前記請求項１〜１０のいずれかに記載のエキサイターを付設したこと
を特徴とする平面型スピーカ。
【発明の詳細な説明】
【技術分野】
【０００１】
この発明は、たとえば、振動板などを駆動させるための振動素子としてのエキサイターと、そのエキサイターを振動板に固定した平面型スピーカに関するものである。
【背景技術】
【０００２】
近年、平板状の振動板にエキサイター（振動素子）を固定した平板型スピーカは、薄くできることと、振動板が広くできる利点を生かして、様々な用途で使用され始めている。特に、今後、液晶パネルなどの展示媒体と一緒に据付けたり、振動板に印刷された音の出る案内板などに、ローコストで小型・軽量化されたエキサイターを使用した平面型スピーカが提案されることが予想されるが、コストや軽量化やコイルの信頼性等に課題が残されている。
【０００３】
かかるエキサイターおよびエキサイターを使用した平面型スピーカとして、たとえば、特開２００１−３５９１８８号公報（特許文献１）においては、振動板に固着して一体化されるボビン部に巻装され、このボビン部を介して前記振動板に振動を付与するボイスコイル、並びに前記ボイスコイルが挿入される磁気ギャップを有したエキサイターと、前記磁気ギャップを形成する磁気回路部を内面側に固定して、当該エキサイターを収容し、かつ振動板に連結されるハウジングとを備えているパネルスピーカが開示されている。
【０００４】
この特許文献１における発明では、エキサイターを、振動板に連結されるハウジング内に収容させてユニット構成とすることで、当該ハウジングによりターミナル、リード線を含むエキサイター全体が外部の衝撃から保護されるとともに、ユニット構成した当該駆動ユニットは、振動板の寸法に関係なく使用することができ、製作コストを大幅に削減することを可能としている。
【０００５】
また、磁気回路の小型化、軽量化の手段として、特開昭５６−４６３９８号公報（特許文献２）においては、局面にコイル巻回用のほぼ環状の溝が形成され、かつ複数の磁脚が形成されたほぼボビン状の強磁性体からなるコアと、前記コアの環状溝内において、両端部の前記磁極が互いに同極に帯磁されるよう巻回されたコイルと、前記コアの周囲に振動可能に配設され、軸方向の端部に互いに異極の磁極を有し、かつコーンが結合されたほぼリング状の可動磁石とを備えている可動磁石型スピーカを開示している。
【０００６】
この特許文献２に記載の発明では、上記のようにコイルと可動磁石を配置することで、従来に比べ、磁気回路を構成する部品点数を減少させ、磁気回路の小型軽量化が図れるとともに、コイルの巻回数を増加させてコイルに加える入力信号の制限を解消することを可能にしている。
【特許文献１】特開２００１−３５９１８８号公報  （請求項1、段落０００６）
【特許文献２】特開昭５６−４６３９８号公報（請求項1、発明の詳細な説明（８）、（９））
【発明の開示】
【発明が解決しようとする課題】
【０００７】
しかしながら、特許文献１に記載の発明のように、振動板を振動させるエキサイターの駆動部として、ボイスコイルを挟むようにヨークやマグネットで磁気ギャップを構成する磁気回路では、駆動部全体が大きくなり軽量化、小型化にするための障害となるという問題がある。
【０００８】
また、特許文献２に記載の発明のように、磁気ギャップを構成しない形で磁気回路の軽量化、小型化を図っても、ボイスコイル表面に対向するようにマグネットが配置されている限り、磁束効率の点で両者を近づけることとなる。その結果、ローリング現象によりマグネットでコイル表面を傷つけてしまうという問題がある。
【０００９】
また、特許文献２の発明のように、可動するマグネット以外に磁性体によるヨーク等が存在すれば、マグネットと磁性体との間で吸引の力が作用し、組立て作業を困難なものとするという問題がある。
【００１０】
さらに、ボイスコイルからの放熱への対応が不十分であれば、コイルの巻き崩れや損傷を引き起こすという問題もある。
【００１１】
この発明はかかる問題に鑑みつつなされたもので、軽量かつ小型化を図り、ボイスコイル表面の損傷をなくし、かつ、組立てを容易にしたエキサイターと、そのエキサイターを使用した平面型スピーカを提供することを目的とするものである。
【課題を解決するための手段】
【００１２】
前記目的を達成するため、この発明の請求項1に記載の発明は、
２つのボイスコイルを、振動方向に所定の間隔を存し、かつ互いに逆相となるようにして配置するとともに、各ボイスコイルを直列接続してハウジング内に固定し、
前記振動方向に配置されたボイスコイル内のほぼ中間部に、厚さ方向に着磁されたマグネットを可動自在に配置し、
前記各ボイスコイルに流れる音声電流の流れ方向に応じて、ボイスコイルの磁極を変化させ、前記マグネットをボイスコイル内で可動させるよう構成されていること
を特徴とするエキサイターである。
【００１３】
また、この発明の請求項２に記載の発明は、
請求項１に記載のエキサイターにおいて、
前記ハウジングは、
上部が開口するとともに、内部に前記２つのボイスコイルを保持するボイスコイルボビンの外径より若干径の大きな空隙部を有するものであること
を特徴とするものである。
【００１４】
また、この発明の請求項３に記載の発明は、
請求項１に記載のエキサイターにおいて、
前記ハウジングは、
上部が開口するとともに、内部に前記２つのボイスコイルを保持するボイスコイルボビンの外径より若干径の大きな空隙部を有し、この空隙部内に振動体の保持が可能なカプラーが上下動自在に設けられたものであること
を特徴とするものである。
【００１５】
また、この発明の請求項４に記載の発明は、
請求項１に記載のエキサイターにおいて、
前記マグネットは、
前記ハウジング内に上下動自在に配置されたカプラーに固着され、前記各ボイスコイルへの非通電時には、ボイスコイル間の中間に位置し、音声電流が流れた場合には、音声電流の流れる方向に応じて上昇又は下降するよう構成されていること
を特徴とするものである。
【００１６】
また、この発明の請求項５に記載の発明は、
請求項１に記載のエキサイターにおいて、
前記ボイスコイルボビンは、
前記ハウジング内に形成された空隙部の内径よりも少し小さな外径を有する円筒体の外周部に、所要の間隔を存して２つの溝を形成し、この溝内にそれぞれボイスコイルを互いに逆相となるように設けるとともに、各ボイスコイルを直列接続させたこと
を特徴とするものである。
【００１７】
また、この発明の請求項６に記載の発明は、
請求項１〜５のいずれかに記載のエキサイターにおいて、
前記ボイスコイルは、
その表面が、接着剤で覆われていること
を特徴とするものである。
【００１８】
また、この発明の請求項７に記載の発明は、
請求項２又は４に記載のエキサイターにおいて、
前記カプラーは、
前記ハウジングの上部に設けられた第１のダンパーおよび、ハウジングに形成された空隙部内に設けられた第２のダンパーによって支持され、前記空隙部内を上下動するよう構成されていること
を特徴とするものである。
【００１９】
また、この発明の請求項８に記載の発明は、
請求項２、請求項４又は６のいずれかに記載のエキサイターにおいて、
前記カプラーは、
振動体を装着させるための円板状の基板と、この基板の裏面中央部に形成される第１のダンパーを装着するための円筒状の第１胴部と、この第１胴部に段部を介して連設されるマグネットを装着するための径の小さな第２胴部と、この第２胴部の先端面に突出形成され、第２のダンパーを装着するためのさらに径の小さな第３胴部とから構成され、合成樹脂で一体成形されたものであること
を特徴とするものである。
【００２０】
また、この発明の請求項９に記載の発明は、
請求項１に記載のエキサイターにおいて、
前記ハウジングは、
前記ボイスコイルのリード線を、前記ハウジング外に引き出すためのスリット部が形成されていることを特徴とするものである。
【００２１】
また、この発明の請求項１０に記載の発明は、
請求項１に記載のエキサイターにおいて、
前記ハウジングは、
上部の開口部に沿って、所定の深さを有する複数の接着剤充填口が形成されていることを特徴とするものである。
【００２２】
さらに、この発明の請求項１１に記載の発明は、
平面状の振動板の裏面部に、請求項１〜１０のいずれかに記載のエキサイターを付設したこと
を特徴とする平面型スピーカである。
【発明の効果】
【００２３】
この発明のエキサイターは、２つのボイスコイルを、振動方向に所定の間隔を存し、かつ互いに逆相となるようにして配置するとともに、各ボイスコイルを直列接続してハウジング内に固定し、振動方向に配置されたボイスコイル内のほぼ中間部に、厚さ方向に着磁されたマグネットを可動自在に配置して構成されているので、前記各ボイスコイルに流れる音声電流の流れ方向に応じて、前記マグネットを２つのボイスコイル間内で可動させ、このマグネットの動きを、たとえば、カプラーなどのアセンブリーを介して振動体に伝えることによって、振動体を駆動させ振動させるものである。
【００２４】
特に、この発明においては、２つのボイスコイルを、所要間隔を存して振動方向に配置するに際し、各ボイスコイルを互いに逆相となるようにするとともに、各ボイスコイルを直列に接続し、その内側にマグネットを上下動自在に装着しているので、可動するマグネット以外には、磁性材料で構成される部材をなくし、全体を小型、軽量化し、組み立て易くすることを可能とした。
【００２５】
また、前記マグネットは、厚さ方向、すなわち、上部をＮ極、下部をＳ極となるように着磁されているので、互いに逆相となるよう、かつ直列に接続した各ボイスコイルの磁極が、振動方向でＳ−Ｎ−Ｎ−Ｓとなるように音声電流を流した場合、マグネットは振動方向の上部側に移動し、電流方向が反転するとマグネットが振動方向の下部側に移動するので、このような動作を繰り返させることで、簡単な構成のエキサイターとすることができる。
【００２６】
その際、ボイスコイルを、ボイスコイルボビンを構成する円筒状の筒体の外側に、間隔を存して形成された溝内に、互いに逆相となるようにして装着し、このボイスコイルボビンの内側にマグネットを上下動自在に設けることによって、ボイスコイルを損傷させることなくマグネットを可動させることができる。
【００２７】
また、前記ボイスコイルボビンにボイスコイルを装着するに際し、ボイスコイルの表面を接着剤で覆うことによって、駆動時のボイスコイルからの放熱を接着剤で吸収し、温度上昇によるボイスコイルの巻き崩れや抵抗値上昇を防ぎ、安定した音圧を得ることができる。
【００２８】
また、この発明においては、２つのボイスコイル間の内側を移動するマグネットを、ハウジング内に可動自在に装着したカプラーに固定し、このカプラーを２つのダンパーで可動自在に支持することによって、ボイスコイルからの音声電流によるマグネットの振動に対するカプラーの応答性が向上し、高域での再生周波数帯域を広げることができる。また、このカプラーを樹脂成形することで、さらにエキサイターの軽量化を図ることができる。
【００２９】
また、ハウジング内に可動自在に保持されるカプラーを、当該カプラーをハウジング内に支持する２つのダンパーの一端、およびマグネットを固定することがきるように構成することによって、所定の部品同士を同一軸上に配置することができ、位置決め冶具などの専用冶具を使用することなく、エキサイターを容易に組立てることができる。
【００３０】
また、前記ボイスコイルやマグネットからなるエキサイターを保持するハウジングに、ボイスコイルのリード線をハウジング外に引き出すための、所定の深さを有するスリットを設けることによって、ボイスコイルの配線が容易になるとともに、ボイスコイルとなるコイルワイヤーをそのままリード線として使用することができる。また、配線が外部に顕出することがないので、断線などのおそれも解消することができる。
【００３１】
さらに、ハウジングに形成された空隙部の開口部周縁に沿って、接着剤を流し込む所定の深さ、具体的には、前記ボイスコイルボビンの全長、を有する接着剤充填口を形成することによって、この接着剤充填口から接着剤を流し込むことで、ボイスコイルボビンをハウジングに確実に固定することができるとともに、ボイスコイル表面を接着剤で覆う作業が容易にでき、ボイスコイルボビンを確実にハウジング内に固定することができる。
【発明を実施するための最良の形態】
【００３２】
以下、この発明にかかるエキサイターおよび、このエキサイターを使用したスピーカの実施の形態を、添付の図面に基づき具体的に説明する。なお、この発明は、図示された実施例に限定されるものではなく、２つのボイスコイルを互いに逆相となるよう振動方向に所要間隔を存して配置し、かつ前記ボイスコイル同士を直列接続し、この２つのボイスコイル間内にマグネットを可動自在に配置し、前記ボイスコイルに流す音声電流によって、ボイスコイルの磁極を変化させてマグネットをボイスコイルの振動方向に可動させるという、この発明の要旨を変更しない範囲内において、種々変更を加えることができるものである。
【００３３】
この発明にかかるエキサイター１は、図１〜図３および図５で明らかなように、基本的には、上部が開口する空隙部３を有する有底の筒状体からなるハウジング２と、このハウジング２内に固定される２つのボイスコイル４，５と、この２つのボイスコイル４，５内に上下方向に可動自在に保持されるマグネット７とから構成されるものである。なお、前記２つのボイスコイル４，５は、基本的に同一材料で形成された同径のものである。
【００３４】
前記ハウジング２は合成樹脂の一体成形によって得るもので、前記空隙部３の内径は、エキサイターを使用する用途によって変化するものである。また、その形状には特段の制限はないが、前記空隙部３の開口部には、外側に延出する所要の幅のフランジ２ａを形成することによって、後述するカプラーを介して支持する振動体をより確実に保持することができるので好ましい。
【００３５】
また、このハウジング２の上面部には、図１に示すように、前記空隙部３の開口縁に沿って、所定の深さ、具体的には、前記２つのボイスコイル４，５を振動方向に所要の間隔を存して保持する後述のボイスコイルボビン６の全長と同じ深さを有する複数の接着剤充填口８，８が形成されているとともに、その一部には、前記空隙部３の開口縁からハウジング２の外周面に達するスリット部９が形成され、このスリット部９を介して各ボイスコイル４，５のリード線４ａ，５ａを容易に外部に引き出すことができるよう構成されている。
【００３６】
前記２つのボイスコイル４，５は、図４に示すように、ボイスコイルの振動方向に所要の間隔を存して、かつ各ボイスコイル４，５が互いに逆相となるよう、すなわち、各ボイスコイル４，５の磁極が同じとなるよう配置し、ボイスコイル４，５同士を直列接続して接続コイルの中点の磁束を高めるよう構成し、振動体に装着するエキサイターの軽量化を図ったものである。なお、このように構成された２つのボイスコイル４，５は、いずれも前記ハウジング２内に固定して使用されるものである。
【００３７】
したがって、このボイスコイル４，５の内側に、厚さ方向に着磁されたマグネット７を上下方向に可動自在に配置し、ボイスコイル４からボイスコイル５に音声電流を流すと、ボイスコイル４，５の磁極が、Ｓ−Ｎ−Ｎ−Ｓとなってマグネット７は上方に移動する。反対にボイスコイル５からボイスコイル４に音声電流を流すと、ボイスコイル５，４の磁極が、Ｎ−Ｓ−Ｓ−Ｎとなってマグネット７は下方に移動するので、このような音声電流の動作を繰り返すことによって、マグネット７はボイスコイル４，５間内において上下動をするものである。
【００３８】
かかるボイスコイル４，５は、具体的には、図５で明らかなように、外径が前記ハウジング２の空隙部３の内径よりもやや小さく形成された円筒体の、外周部に所要間隔を存して形成された凹状の溝６ａ，６ｂ内に装着して使用されるものである。
【００３９】
前記マグネット７はリング状のものであって、特に図５で明らかなように、前記ハウジング２の空隙部３内に配置されるカプラー１０に固定されて、振動方向に配置されたボイスコイル４，５間の内側において上下動するよう構成されている。
【００４０】
すなわち、前記カプラー１０は、たとえば、液晶パネルのような薄い振動体又は平面振動板のように薄い振動板を装着させるための円板状の基板１１と、この基板１１の裏面中央部に段部１２を介して形成される第１のダンパー１７を装着するための円筒状の第１胴部１３と、この第１胴部１３に段部１４を介して連設される、マグネット７を装着するための径の小さな第２胴部１５と、この第２胴部１５の先端面中央に突出形成される、第２のダンパー１８を装着するための径の小さな第３胴部１６とから構成されるものである。なお、前記各パートは、合成樹脂で一体成形されるものである。
【００４１】
なお、前記第３胴部の形成に際しては、図５に示すように、第２胴部１５の先端面の中央部に凹部２０を形成し、この凹部２０の中央に径の小さな第３胴部１６を突出形成することによって、この凹部２０を第２のダンパー１８の内周部を確実に固着することができるので、好ましい態様である。
【００４２】
前記第１のダンパー１７は、外径が前記ハウジング２のフランジ２ａの外径とほぼ等しいダンパー主体１７ａの外周縁の下方に、ハウジング２への取付け部１７ｂが垂直に設けられたもので、ダンパー主体１７ａには、前記カプラー１０の第１胴部の外径とほぼ等しい径を有する透孔１７ｃが形成されたものである。
【００４３】
なお、この第１のダンパー１７は前記カプラー１０に固定され、当該カプラー１０をハウジング２の空隙部３内に上下方向に可動自在に保持するに際し、弾性を付与し、前記カプラー１０の可動範囲をより大きくするため、平坦な外周部の内側部位を、図５に示すように、上方に膨出させることが好ましい。
【００４４】
また、前記第２のダンパー１８は、ダンパー主体１８ａの外周部に前記ハウジング２の空隙部３の内底面３ａと当接する平坦面１８ｂを形成するとともに、前記平坦面１８ｂ以外の部位を上方に膨出させ、その中央部に前記カプラー１０の第３胴部１６の外周部を当接する透孔１８ｃを設けた突出部１８ｄを一体的に形成したものである。
【００４５】
この第２のダンパー１８の平坦面１８ｂを含めた外径は、前記ハウジング２における空隙部３の内底面３ａの内径よりもやや小さい径とし、前記突出部１８ｄに形成される透孔１８ｃの内径は、前記カプラー１０の第３胴部１６の外径とほぼ等しくしたものである。
【００４６】
なお、この発明のエキサイター１においては、軽量化を図るため、ハウジング２の空隙部３内を上下方向に可動して振動するマグネット７以外には、磁気回路を構成するヨークとして磁性体は使用されていない。
【００４７】
かかる各部材を用いてエキサイター１を作製するには、まず、カプラー１０を構成する第１胴部１３に、第１のダンパー１７の透孔１７ｃを嵌合させ、前記透孔１７ｃの平坦な周縁部１７ｄをカプラー１０の段部１２に接着剤で固定する。
【００４８】
つぎに、マグネット７の透孔７ａをカプラー１０の第２胴部１５に嵌合させ、マグネット７の上部平面７ｂをカプラー１０の段部１４に接着剤で固定する。このように組立てられたユニットを、上部ユニットと称する。
【００４９】
一方、前記第２のダンパー１８をハウジング２の空隙部３内に嵌合させ、その外周部の平坦面１８ｂを、空隙部３の内底面３ａに接着剤で固定したのち、その上から、ボイスコイルボビン６を、保持したボイスコイル４，５を外側に位置させた状態で空隙部３内に挿入し、ボイスコイルボビン６の底面部を前記第２のダンパー１８の平坦面１８ｂ上に接着剤で固定する。すなわち、第２のダンパー１７の前記平坦部１８ｂをハウジング4の底面とボイスコイルボビン６の底部とで挟むようにして接着剤で固定している。このとき、ボイスコイル４，５の各リード線４ａ，５ａは、ハウジング２に設けられたスリット部９に収められている。
【００５０】
つぎに、ハウジング２の上面に設けられた接着剤充填口８に接着剤Ｂを注入し、当該接着剤Ｂによってボイスコイルボビン６をハウジング２の内周面に固定するとともに、各ボイスコイル４，５の表面を接着剤Ｂで覆う。このように組立てられたユニットを、下部ユニットと称する。
【００５１】
なお、ボイスコイル４，５の表面を覆う接着剤としては、ボイスコイルからの放熱に耐えられる耐熱性の高い接着剤が好ましい。また、この接着剤がボイスコイルからの熱を吸収することから、温度上昇によるボイスコイルの巻き崩れや抵抗値上昇を防ぎ、安定した音圧を得ることができる。
【００５２】
組立ての最終工程として、上部ユニットと下部ユニットを組みあわせるが、その時、周辺に接着剤を塗布した上部ユニットの第３胴部１６を、下部ユニットの第２のダンパー１８に形成された透孔１８ｃに嵌合したのち、上部ユニットにおける第１のダンパー１７に形成した取付け部１７ｂを、下部ユニットのハウジング２の最外周面、すなわち、フランジ２ａの外周部に嵌合し、両者を接着剤で固定するものである。
【００５３】
このようにしてエキサイター１を組立てることで、同一軸上で各部品が嵌合して組立てることができ、マグネット７がボイスコイルボビン６の内で、２個のボイスコイル４，５の中間に配置されたエキサイター１が、専用冶具を用意することなく容易に作られる。
【００５４】
なお、エキサイター１の組立て時、換言すると、エキサイター１が駆動していない状態においては、マグネット７は図２で明らかなように、ボイスコイル４と５の中間部に位置しているものである。
【００５５】
かかる構成のエキサイター1は、先に述べたようにマグネット７の上部がＮ極、下部がＳ極となるよう厚さ方向に着磁されているので、２つのボイスコイル４，５の磁極が振動方向でＳ−Ｎ−Ｎ−Ｓとなるように音声電流が流れた場合、ボイスコイル４，５はいずれもハウジング２に固定されているので、マグネット７が振動方向の上部へ上がり、マグネット７と一体のカプラー１０も上昇する。また、電流方向が反転するとボイスコイル４，５の磁極もＮ−Ｓ−Ｓ−Ｎのように逆になり、マグネット７は振動方向の下部へ向かうので、カプラー１０も下降する。このような動作を繰り返すことで、マグネット７は空隙部３内を上下方向に可動し、振動するので、カプラー１０の基板１１に振動体として振動板を装着することによって、前記エキサイター１をスピーカの駆動体とすることができる。さらに、前記基板１１の表面に広告などを印刷、表示した振動体を装着れば、当該振動体を動く表示体として利用することができる。
【００５６】
なお、上記の各部材の構成において、２つの部材の固定に、相対する部材の片側又は両方に、図示しないが接着剤溜りとなる凹部を設け、その凹部に接着剤を充填して固定することで接着力を高めることもできる。
【００５７】
図６および図７は、前記構成を有するエキサイター１を使用した平面型スピーカ２０を示すもので、矩形状のスピーカフレーム２１内に２つのエキサイター１，１を並列させて配置固定し、矩形状の振動板２２をエッジ２３と接合し、そのエッジ２３の外周側縁部を押さえ板２４でスピーカフレーム２１に固定し、各エキサイター１，１の基板１１の上面部に前記振動板２２の裏面を接合接着して平面型スピーカ２０としたものである。したがって、前記各エキサイター１，１のボイスコイルに音声電流を一定間隔に正方向、逆方向に流せば、マグネットの振動がエキサイターを介して振動板２２に伝えられ、平面型スピーカとしての機能を発揮することができる。
【００５８】
この発明にかかるエキサイターは、振動方向に間隔を存し、かつ互いに逆相となるよう配置された２つのボイスコイルを直列接続し、その２つのボイスコイルの内側に厚さ方向に着磁されたマグネットを、振動方向に可動自在となるよう設けている。したがって、前記マグネットの動き（振動）をカプラーなどのアセンブリーを介して外部に取出すことによって、その振動を有効に利用することができるので、その用途はスピーカにのみ限定されず、音の出る広告媒体として、さらには、広い表面積の振動板を使用することによって集音マイクとしての使用など、広い分野での利用が可能なものである。
【図面の簡単な説明】
【００５９】
【図１】この発明にかかるエキサイターの一例を示す一部切欠き平面図である。
【図２】図１に示すエキサイターの非駆動時における半截断面図である。
【図３】図１に示すエキサイターの駆動時における半截断面図である。
【図４】図１に示すエキサイターのボイスコイルを示す概略説明図である。
【図５】図１に示すエキサイターの構成の一例を示す概略説明図である。
【図６】この発明にかかるエキサイターを利用した平面型スピーカの一例を示す平面図である。
【図７】図６におけるＺ−Ｚに沿った断面図である。
【符号の説明】
【００６０】
１        エキサイター
２        ハウジング
２ａ        フランジ
３        空隙部
４，５    ボイスコイル
４ａ，５ａ  ボイスコイルのリード線
６        ボイスコイルボビン
６ａ，６ｂ  溝
７        マグネット
７ａ        マグネットの透孔
８        接着剤充填口
９        スリット部
１０        カプラー
１１        基板
１２，１４  段部
１３        第１胴部
１５        第２胴部
１６        第３胴部
１７        第１のダンパー
１８        第２のダンパー
２０        平面型スピーカ
２１        スピーカフレーム
２２        振動板
２３        エッジ
２４        押さえ板
【図１】
2006246288.tif 000003
【図２】
2006246288.tif 000004
【図３】
2006246288.tif 000005
【図４】
2006246288.tif 000006
【図５】
2006246288.tif 000007
【図６】
2006246288.tif 000008
【図７】
2006246288.tif 000009